(57)【要約】【課題】媒体幅端がインク吐出部と接触することを抑制し、且つ、印刷媒体の幅方向における印刷可能領域が狭くなることを抑制することができるインクジェットプリンターを提供する。【解決手段】ロール紙Ｐを支持するプラテンと、ロール紙Ｐの第１媒体幅端Ｐ１に対してインクを吐出可能な第１吐出位置７１ａと、ロール紙Ｐの第２媒体幅端Ｐ２に対してインクを吐出可能な第２吐出位置７１ｂと、に移動しながら、プラテンに支持されたロール紙Ｐに対してインクを吐出するインク吐出部７１と、インク吐出部７１が第２吐出位置７１ｂに位置する際に、第１媒体幅端Ｐ１をプラテンに対して押える第１押え位置８１ａ（第１位置）に位置し、インク吐出部７１が第１吐出位置７１ａに位置する際に、第１媒体幅端Ｐ１をプラテンに対して押えない第１非押え位置８１ｂ（第２位置）に位置するように、回動する第１媒体押え部材８１とを備えた。【選択図】図５
2016185619.tif 000002
【特許請求の範囲】
【請求項１】
印刷媒体を送る送り部と、
前記印刷媒体の送り経路に設けられ、前記印刷媒体を支持するプラテンと、
前記印刷媒体の幅方向における一方の端部である第１媒体幅端に対してインクを吐出可能な第１吐出位置と、前記印刷媒体の幅方向における他方の端部である第２媒体幅端に対してインクを吐出可能な第２吐出位置と、に移動しながら、前記プラテンに支持された前記印刷媒体に対してインクを吐出するインク吐出部と、
前記インク吐出部が前記第２吐出位置に位置する際に、前記第１媒体幅端を前記プラテンに対して押える第１位置に位置し、前記インク吐出部が前記第１吐出位置に位置する際に、前記第１媒体幅端を前記プラテンに対して押えない第２位置に位置するように、回動する第１媒体押え部材と、
を備えたことを特徴とするインクジェットプリンター。
【請求項２】
前記インク吐出部を移動させる駆動源となる駆動部と、
前記駆動部の動力を受けて、前記インク吐出部を前記第１吐出位置と前記第２吐出位置とに移動させる移動部と、
前記第１媒体押え部材を、前記第２位置から前記第１位置に向けて付勢する第１付勢部材と、
前記インク吐出部の移動に連動して、前記第１媒体押え部材を、前記第１付勢部材に抗して前記第１位置から前記第２位置に回動させる第１連動部と、
前記移動部を介して入力した前記駆動部の動力を、前記第１連動部が前記第１媒体押え部材を回動させるように、前記第１連動部に伝達する動力伝達部と、
をさらに備えたことを特徴とする請求項１に記載のインクジェットプリンター。
【請求項３】
前記第１連動部は、前記第１媒体押え部材と係合する第１係合部、を有し、
前記第１係合部は、前記インク吐出部が、前記第１吐出位置と前記第２吐出位置との間の第１途中位置と、前記第１吐出位置と、の間で移動する際に、前記第１媒体押え部材と係合し、前記インク吐出部が、前記第１途中位置と前記第２吐出位置との間で移動する際に、前記第１媒体押え部材と係合しないことを特徴とする請求項２に記載のインクジェットプリンター。
【請求項４】
前記動力伝達部のうち前記第１連動部側の連動部側動力伝達部、前記第１連動部、前記第１媒体押え部材、および前記プラテン、が支持されたプラテン側支持部と、
前記動力伝達部のうち前記移動部側の移動部側動力伝達部、前記移動部、および前記インク吐出部、が支持された印刷部側支持部と、をさらに備え、
前記プラテン側支持部は、前記プラテンに支持された前記印刷媒体に前記インク吐出部からインクが吐出される印刷位置と、前記プラテンに支持された前記印刷媒体に前記インク吐出部からインクが吐出されない非印刷位置と、に可動であり、
前記プラテン側支持部が前記印刷位置に位置する際に、前記移動部側動力伝達部の前記連動部側動力伝達部への動力出力端と、前記連動部側動力伝達部の前記移動部側動力伝達部からの動力入力端とが係合し、前記プラテン側支持部が前記非印刷位置に位置する際に、前記動力出力端と前記動力入力端とが係合離脱することを特徴とする請求項２または３に記載のインクジェットプリンター。
【請求項５】
前記インク吐出部が前記第１吐出位置に位置する際に、前記第２媒体幅端を前記プラテンに対して押える第３位置と、前記インク吐出部が前記第２吐出位置に位置する際に、前記第２媒体幅端を前記プラテンに対して押えない第４位置と、に位置するように回動する第２媒体押え部材、をさらに備えたことを特徴とする請求項１ないし４のいずれか一項に記載のインクジェットプリンター。
【請求項６】
前記インク吐出部を移動させる駆動源となる駆動部と、
前記駆動部の動力を受けて、前記インク吐出部を前記第１吐出位置と前記第２吐出位置とに移動させる移動部と、
前記第１媒体押え部材を、前記第２位置から前記第１位置に向けて付勢する第１付勢部材と、
前記インク吐出部の移動に連動して、前記第１媒体押え部材を、前記第１付勢部材に抗して前記第１位置から前記第２位置に回動させる第１連動部と、
前記第２媒体押え部材を、前記第４位置から前記第３位置に向けて付勢する第２付勢部材と、
前記インク吐出部の移動に連動して、前記第２媒体押え部材を、前記第２付勢部材に抗して前記第３位置から前記第４位置に回動させる第２連動部と、
前記移動部を介して入力した前記駆動部の動力を、前記第１連動部が前記第１媒体押え部材を回動させるように、前記第１連動部に伝達し、前記第２連動部が前記第２媒体押え部材を回動させるように、前記第２連動部に伝達する動力伝達部と、
をさらに備えたことを特徴とする請求項５に記載のインクジェットプリンター。
【請求項７】
前記第１連動部は、前記第１媒体押え部材と係合する第１係合部、を有し、
前記第１係合部は、前記インク吐出部が、前記第１吐出位置と前記第２吐出位置との間の第１途中位置と、前記第１吐出位置と、の間で移動する際に、前記第１媒体押え部材と係合し、前記インク吐出部が、前記第１途中位置と前記第２吐出位置との間で移動する際に、前記第１媒体押え部材と係合せず、
前記第２連動部は、前記第２媒体押え部材と係合する第２係合部、を有し、
前記第２係合部は、前記インク吐出部が、前記第１吐出位置と前記第２吐出位置との間の第２途中位置と、前記第２吐出位置と、の間で移動する際に、前記第２媒体押え部材と係合し、前記インク吐出部が、前記第２途中位置と前記第１吐出位置との間で移動する際に、前記第２媒体押え部材と係合しないことを特徴とする請求項６に記載のインクジェットプリンター。
【発明の詳細な説明】
【技術分野】
【０００１】
本発明は、プラテンに支持された印刷媒体の幅方向における端部を押える媒体押え部材を備えたインクジェットプリンターに関するものである。
【背景技術】
【０００２】
従来、記録紙を巻き取りながら送る巻取り軸と、記録紙の送り経路に設けられ、記録紙を支持するプラテンと、記録紙の両端部間を移動しながら、プラテンに支持された記録紙に対してインクを吐出するインクジェットヘッドと、記録紙の幅方向両端部を押える記録紙押え部材と、を備えたインクジェットプリンターが知られている。このインクジェットプリンターは、記録紙押え部材により、プラテンに支持された記録紙の両端部のめくれを規制することで、記録紙の両端部がインクジェットヘッドと接触することを防止し、安定的に記録を行うことを狙ったものである（特許文献１参照）。
【先行技術文献】
【特許文献】
【０００３】
【特許文献１】特開平１１−２０８０４６号公報
【発明の概要】
【発明が解決しようとする課題】
【０００４】
本発明者は、以下の課題を見出した。
上記のようなインクジェットプリンターにおいて、プラテンに支持された印刷媒体に対してインク吐出部がインクを吐出している間、媒体押え部材が印刷媒体の幅方向における端部である媒体幅端を常に押えていると、媒体押え部材に対して押えられた箇所、つまり媒体幅端には、インク吐出部からインクを着弾させることができない。このため、印刷媒体の幅方向における印刷可能領域が狭くなってしまう。
【０００５】
本発明は、媒体幅端がインク吐出部と接触することを抑制し、且つ、印刷媒体の幅方向における印刷可能領域が狭くなることを抑制することができるインクジェットプリンターを提供することを課題としている。
【課題を解決するための手段】
【０００６】
本発明のインクジェットプリンターは、印刷媒体を送る送り部と、印刷媒体の送り経路に設けられ、印刷媒体を支持するプラテンと、印刷媒体の幅方向における一方の端部である第１媒体幅端に対してインクを吐出可能な第１吐出位置と、印刷媒体の幅方向における他方の端部である第２媒体幅端に対してインクを吐出可能な第２吐出位置と、に移動しながら、プラテンに支持された印刷媒体に対してインクを吐出するインク吐出部と、インク吐出部が第２吐出位置に位置する際に、第１媒体幅端をプラテンに対して押える第１位置に位置し、インク吐出部が第１吐出位置に位置する際に、第１媒体幅端をプラテンに対して押えない第２位置に位置するように、回動する第１媒体押え部材と、を備えたことを特徴とする。
【０００７】
この構成では、インク吐出部が第２吐出位置に位置する際に、第１媒体押え部材が第１位置に位置し、第１媒体幅端を押える。このため、第１媒体幅端がインク吐出部と接触することが抑制される。一方、インク吐出部が第１吐出位置に位置する際に、第１媒体押え部材が第２位置に位置する。このため、第１吐出位置に位置するインク吐出部から、第１媒体幅端に対して、インクが着弾可能となる。したがって、本構成によれば、第１媒体幅端がインク吐出部と接触することを抑制し、且つ、印刷媒体の幅方向における印刷可能領域が狭くなることを抑制することができる。
【０００８】
この場合、インク吐出部を移動させる駆動源となる駆動部と、駆動部の動力を受けて、インク吐出部を第１吐出位置と第２吐出位置とに移動させる移動部と、第１媒体押え部材を、第２位置から第１位置に向けて付勢する第１付勢部材と、インク吐出部の移動に連動して、第１媒体押え部材を、第１付勢部材に抗して第１位置から第２位置に回動させる第１連動部と、移動部を介して入力した駆動部の動力を、第１連動部が第１媒体押え部材を回動させるように、第１連動部に伝達する動力伝達部と、をさらに備えたことが好ましい。
【０００９】
この構成では、駆動部の動力が移動部に伝達されると、インク吐出部が第１吐出位置や第２吐出位置に移動すると共に、移動部を介して動力伝達部に入力した駆動部の動力が、第１連動部に伝達され、第１連動部が第１媒体押え部材を回動させる。これにより、インク吐出部の移動と、第１媒体押え部材の回動とが連動して行われる。
【００１０】
この場合、第１連動部は、第１媒体押え部材と係合する第１係合部、を有し、第１係合部は、インク吐出部が、第１吐出位置と第２吐出位置との間の第１途中位置と、第１吐出位置と、の間で移動する際に、第１媒体押え部材と係合し、インク吐出部が、第１途中位置と第２吐出位置との間で移動する際に、第１媒体押え部材と係合しないことが好ましい。
【００１１】
この構成では、インク吐出部が第１途中位置と第１吐出位置との間で移動する際に、第１係合部が第１媒体押え部材と係合することから、インク吐出部の移動に連動して、第１媒体押え部材が回動する。一方、インク吐出部が第１途中位置と第２吐出位置との間で移動する際に、第１係合部が第１媒体押え部材と係合しないことから、インク吐出部の移動に連動して第１連動部が作動しても、第１媒体押え部材が回動しない。これにより、インク吐出部が第１途中位置と第２吐出位置との間で移動している間は、第１媒体押え部材が第１位置から第２位置へ回動しない。したがって、本構成によれば、第１媒体押え部材が第１位置から退避する必要がある場合、すなわち、インク吐出部が第１吐出位置に位置している場合、以外は、なるべく長い間、第１媒体押え部材により第１媒体幅端を押えておくことができる。
【００１２】
この場合、動力伝達部のうち第１連動部側の連動部側動力伝達部、第１連動部、第１媒体押え部材、およびプラテン、が支持されたプラテン側支持部と、動力伝達部のうち移動部側の移動部側動力伝達部、移動部、およびインク吐出部、が支持された印刷部側支持部と、をさらに備え、プラテン側支持部は、プラテンに支持された印刷媒体にインク吐出部からインクが吐出される印刷位置と、プラテンに支持された印刷媒体にインク吐出部からインクが吐出されない非印刷位置と、に可動であり、プラテン側支持部が印刷位置に位置する際に、移動部側動力伝達部の連動部側動力伝達部への動力出力端と、連動部側動力伝達部の移動部側動力伝達部からの動力入力端とが係合し、プラテン側支持部が非印刷位置に位置する際に、動力出力端と動力入力端とが係合離脱することが好ましい。
【００１３】
この構成によれば、プラテン側支持部が非印刷位置に位置する際に、移動部側動力伝達部の動力出力端と、連動部側動力伝達部の動力入力端とが係合離脱することにより、プラテン側支持部が印刷位置から非印刷位置へスムースに移動することができる。また、プラテン側支持部が印刷位置に位置する際に、移動部側動力伝達部の動力出力端と、連動部側動力伝達部の動力入力端とが係合することにより、動力伝達部が、移動部を介して入力した駆動部の動力を、第１連動部に伝達することができる。
【００１４】
この場合、インク吐出部が第１吐出位置に位置する際に、第２媒体幅端をプラテンに対して押える第３位置と、インク吐出部が第２吐出位置に位置する際に、第２媒体幅端をプラテンに対して押えない第４位置と、に位置するように回動する第２媒体押え部材、をさらに備えたことが好ましい。
【００１５】
この構成では、インク吐出部が第１吐出位置に位置する際に、第２媒体押え部材が第３位置に位置し、第２媒体幅端を押える。このため、第２媒体幅端がインク吐出部と接触することが抑制される。一方、インク吐出部が第２吐出位置に位置する際に、第２媒体押え部材が第４位置に位置する。このため、第２吐出位置に位置するインク吐出部から、第２媒体幅端に対して、インクが着弾可能となる。したがって、本構成によれば、第２媒体幅端がインク吐出部と接触することを抑制し、且つ、印刷媒体の幅方向における印刷可能領域が狭くなることを抑制することができる。
【００１６】
この場合、インク吐出部を移動させる駆動源となる駆動部と、駆動部の動力を受けて、インク吐出部を第１吐出位置と第２吐出位置とに移動させる移動部と、第１媒体押え部材を、第２位置から第１位置に向けて付勢する第１付勢部材と、インク吐出部の移動に連動して、第１媒体押え部材を、第１付勢部材に抗して第１位置から第２位置に回動させる第１連動部と、第２媒体押え部材を、第４位置から第３位置に向けて付勢する第２付勢部材と、インク吐出部の移動に連動して、第２媒体押え部材を、第２付勢部材に抗して第３位置から第４位置に回動させる第２連動部と、移動部を介して入力した駆動部の動力を、第１連動部が第１媒体押え部材を回動させるように、第１連動部に伝達し、第２連動部が第２媒体押え部材を回動させるように、第２連動部に伝達する動力伝達部と、をさらに備えたことが好ましい。
【００１７】
この構成では、駆動部の動力が移動部に伝達されると、インク吐出部が第１吐出位置や第２吐出位置に移動すると共に、移動部を介して動力伝達部に入力した駆動部の動力が、第１連動部および第２連動部に伝達され、第１連動部が第１媒体押え部材を回動させ、第２連動部が第２媒体押え部材を回動させる。これにより、インク吐出部の移動と、第１媒体押え部材の回動および第２媒体押え部材の回動とが連動して行われる。
【００１８】
この場合、第１連動部は、第１媒体押え部材と係合する第１係合部、を有し、第１係合部は、インク吐出部が、第１吐出位置と第２吐出位置との間の第１途中位置と、第１吐出位置と、の間で移動する際に、第１媒体押え部材と係合し、インク吐出部が、第１途中位置と第２吐出位置との間で移動する際に、第１媒体押え部材と係合せず、第２連動部は、第２媒体押え部材と係合する第２係合部、を有し、第２係合部は、インク吐出部が、第１吐出位置と第２吐出位置との間の第２途中位置と、第２吐出位置と、の間で移動する際に、第２媒体押え部材と係合し、インク吐出部が、第２途中位置と第１吐出位置との間で移動する際に、第２媒体押え部材と係合しないことが好ましい。
【００１９】
この構成では、インク吐出部が第１途中位置と第１吐出位置との間で移動する際に、第１係合部が第１媒体押え部材と係合することから、インク吐出部の移動に連動して、第１媒体押え部材が回動する。一方、インク吐出部が第１途中位置と第２吐出位置との間で移動する際に、第１係合部が第１媒体押え部材と係合しないことから、インク吐出部の移動に連動して第１連動部が作動しても、第１媒体押え部材が回動しない。これにより、インク吐出部が第１途中位置と第２吐出位置との間で移動している間は、第１媒体押え部材が第１位置から第２位置へ回動しない。したがって、本構成によれば、第１媒体押え部材が第１位置から退避する必要がある場合、すなわち、インク吐出部が第１吐出位置に位置している場合、以外は、なるべく長い間、第１媒体押え部材により第１媒体幅端を押えておくことができる。同様に、インク吐出部が第２途中位置と第２吐出位置との間で移動する際に、第２係合部が第２媒体押え部材と係合することから、インク吐出部の移動に連動して、第２媒体押え部材が回動する。一方、インク吐出部が第２途中位置と第１吐出位置との間で移動する際に、第２係合部が第２媒体押え部材と係合しないことから、インク吐出部の移動に連動して第２連動部が作動しても、第２媒体押え部材が回動しない。これにより、インク吐出部が第２途中位置と第１吐出位置との間で移動している間は、第２媒体押え部材が第３位置から第４位置へ回動しない。したがって、本構成によれば、第２媒体押え部材が第３位置から退避する必要がある場合、すなわち、インク吐出部が第２吐出位置に位置している場合、以外は、なるべく長い間、第２媒体押え部材により第２媒体幅端を押えておくことができる。
【図面の簡単な説明】
【００２０】
【図１】本発明の一実施形態に係るレシートプリンターを＋Ｙ側から見た概略構成図であって、蓋部が開かれた状態の図である。
【図２】図１に示したレシートプリンターを＋Ｙ側から見た概略構成図であって、蓋部が閉じられた状態の図である。
【図３】図１に示したレシートプリンターを＋Ｚ側から見た概略構成図である。
【図４】図１に示したレシートプリンターが備える媒体押え部について説明するための図であって、（ａ）はインク吐出部が＋Ｙ側に移動する際の媒体押え部の動作を示す図、（ｂ）はインク吐出部が−Ｙ側に移動する際の媒体押え部の動作を示す図である。
【図５】インク吐出部の移動に連動して第１媒体押え部材および第２媒体押え部材が回動することについて説明するための図である。
【発明を実施するための形態】
【００２１】
以下、添付の図面を参照し、本発明の一実施形態に係るレシートプリンターＡについて説明する。このレシートプリンターＡは、インクジェット方式によりロール紙Ｐに印刷を行い、レシートやクーポン券などを作成するものである。なお、以下の図面では必要に応じて、装置各部の配置関係を明確にするために、ＸＹＺ直交座標系を表示する。
【００２２】
図１ないし図３を参照して、レシートプリンターＡの概略構成について説明する。レシートプリンターＡは、装置ケース１と、蓋部２と、リンク部３と、ロール体収容部４と、送りローラー対５と、プラテン６と、印刷部７と、媒体押え部８とを備えている。なお、図示省略したが、レシートプリンターＡは、ロール紙Ｐの印刷済み部分を切り離すためのカッターを備えている。
【００２３】
装置ケース１は、略直方体の箱状である。装置ケース１の＋Ｘ側の面には、開口部１１が設けられている。この開口部１１から、ロール紙Ｐがロール状に巻かれたロール体Ｒが装置ケース１内に投入される。装置ケース１の＋Ｘ側の面には、開口部１１を開閉する蓋部２が設けられている。
【００２４】
蓋部２は、開口部１１を閉塞した状態から−Ｚ側に開かれる。蓋部２が閉じられた状態でも、開口部１１の＋Ｚ側の端部は完全には閉塞されず、スリット状の隙間が形成される。この隙間が、印刷済みのロール紙Ｐが排出される排出口１２となる。蓋部２は、リンク部３に取り付けられている。
【００２５】
リンク部３は、４節の平行リンク機構である。すなわち、リンク部３は、＋Ｘ側に設けられた一対の第１リンク部材３１と、−Ｘ側に設けられた一対の第２リンク部材３２と、第１リンク部材３１および第２リンク部材３２との間を連結するように設けられた第３リンク部材３３とを備えている。
【００２６】
一対の第１リンク部材３１は、Ｙ方向に並び設けられている。各第１リンク部材３１の一方の端部は、第１リンク支軸３４と回転可能に連結されている。第１リンク支軸３４は、ロール体収容部４の＋Ｘ側で、Ｙ方向と平行に設けられている。各第１リンク部材３１の他方の端部は、第３リンク部材３３と回転可能に連結されている。一対の第１リンク部材３１には、蓋部２が取り付けられている。
【００２７】
一対の第２リンク部材３２は、Ｙ方向に並び設けられている。各第２リンク部材３２の一方の端部は、第２リンク支軸３５と回転可能に連結されている。第２リンク支軸３５は、ロール体収容部４の−Ｘ側で、Ｙ方向と平行に設けられている。各第２リンク部材３２の他方の端部は、第３リンク部材３３と回転可能に連結されている。
第３リンク部材３３には、プラテン６などが設けられている。
【００２８】
リンク部３は、第１リンク部材３１および第２リンク部材３２がＸ方向と平行になり、プラテン６に支持されたロール紙Ｐに印刷部７からインクが吐出されない非印刷位置３ａと、第１リンク部材３１および第２リンク部材３２がＺ方向と平行になり、プラテン６に支持されたロール紙Ｐに印刷部７からインクが吐出される印刷位置３ｂと、に可動である。蓋部２が開かれると、リンク部３が非印刷位置３ａに移動し、蓋部２が閉じられると、リンク部３が印刷位置３ｂに移動する。
【００２９】
リンク部３には、蓋部２のほか、後述する駆動ローラー５１と、プラテン６と、媒体押え部８の大部分（後述する移動部側動力伝達部８７ａ以外）と、排紙ガイド９とが支持されている。
なお、第１リンク支軸３４および第２リンク支軸３５は、装置ケース１内の装置フレーム（図示省略）に設けられている。装置フレームには、リンク部３のほか、従動ローラー５２、印刷部７、および媒体押え部８の一部（移動部側動力伝達部８７ａ）が支持されている。
【００３０】
ロール体収容部４は、開口部１１の−Ｘ側に設けられている。蓋部２が開かれると、開口部１１からロール体収容部４にロール体Ｒを投入可能となる。ロール体収容部４は、ロール紙Ｐが繰出し可能なように、ロール体Ｒを収容する。ロール体収容部４から、送りローラー対５およびプラテン６を経て、排出口１２に至る経路が、ロール紙Ｐの送り経路となる。
【００３１】
送りローラー対５は、蓋部２が閉じられた状態で、ロール体収容部４よりも＋Ｚ側で且つ−Ｘ側寄りの位置に設けられている。送りローラー対５は、ロール体収容部４に収容されたロール体Ｒから繰り出されたロール紙Ｐを、排出口１２に向けてＸ方向に送る。送りローラー対５は、駆動ローラー５１と、駆動ローラー５１の＋Ｚ側に設けられた従動ローラー５２とを備えている。駆動ローラー５１は、送りモーター（図示省略）の動力が伝達されて回転する。従動ローラー５２は、駆動ローラー５１に対して従動回転する。
【００３２】
プラテン６は、蓋部２が閉じられた状態で、送り経路に位置しており、Ｘ方向に送られるロール紙Ｐを支持する。プラテン６は、第３リンク部材３３に設けられており、蓋部２の開閉に伴って移動する。蓋部２が開かれてリンク部３が非印刷位置３ａに位置する状態では、プラテン６が開口部１１よりも＋Ｘ側、すなわち装置ケース１の外側に位置するため、ロール紙Ｐをロール体収容部４から引き出してプラテン６上にセットする作業がやりやすくなる。また、蓋部２が閉じられてリンク部３が印刷位置３ｂに位置する状態では、プラテン６が印刷部７に対向するため、プラテン６に支持されたロール紙Ｐに対して、印刷部７から吐出されたインクが着弾可能となる。
【００３３】
印刷部７は、プラテン６に支持されたロール紙Ｐに対して、シリアル方式により印刷を行う。印刷部７は、インク吐出部７１と、キャリッジ７２と、キャリッジガイド軸７３と、キャリッジモーター７４（図４参照）と、移動部７５と、を備えている。
【００３４】
インク吐出部７１は、複数色（例えばＣＭＹＫの４色）のインクを吐出する。インク吐出部７１は、各色のインクをインクジェット方式で吐出する複数のインク吐出ヘッド（図示省略）を備えている。インク吐出ヘッドのノズル面と、プラテン６に支持されたロール紙Ｐとの間隙つまりペーパーギャップは、所定の範囲内（例えば数ｍｍ程度）に調整されている。キャリッジ７２は、インク吐出部７１を搭載している。キャリッジガイド軸７３は、Ｙ方向に延びており、キャリッジ７２のＹ方向における往復移動をガイドする。キャリッジモーター７４は、キャリッジ７２をＹ方向に往復移動させる駆動源となる。
【００３５】
移動部７５は、キャリッジモーター７４からの動力を受け、キャリッジ７２をＹ方向に移動させる。移動部７５は、第１移動部側プーリー７５１と、第２移動部側プーリー７５２と、タイミングベルト７５３とを備えている。
【００３６】
第１移動部側プーリー７５１は、プラテン６に対して＋Ｙ側に位置し、第２移動部側プーリー７５２は、プラテン６に対して−Ｙ側に位置している。タイミングベルト７５３は、第１移動部側プーリー７５１と第２移動部側プーリー７５２との間に掛け渡されている。タイミングベルト７５３は、キャリッジモーター７４の出力軸に固定されたモーター歯車７４１（図４参照）と噛み合っている。また、タイミングベルト７５３には、キャリッジ７２が連結されている。キャリッジモーター７４が正逆回転してタイミングベルト７５３が正逆走行することにより、キャリッジ７２がＹ方向に往復移動する。
【００３７】
印刷部７は、インク吐出部７１がＹ方向に往復移動しながら、インク吐出部７１からインクを吐出することにより、プラテン６上をＸ方向に送られるロール紙Ｐに対して印刷を行う。
【００３８】
媒体押え部８は、第１媒体押え部材８１と、第２媒体押え部材８２とを備えている。第１媒体押え部材８１は、ロール紙Ｐの幅方向における一方（＋Ｙ側）の幅端（以下「第１媒体幅端Ｐ１」という。）をプラテン６に対して押える。第２媒体押え部材８２は、ロール紙Ｐの幅方向における他方（−Ｙ側）の幅端（以下「第２媒体幅端Ｐ２」という。）をプラテン６に対して押える。Ｘ方向における第１媒体押え部材８１および第２媒体押え部材８２の長さは、Ｘ方向におけるインク吐出部７１の長さと略同じである。第１媒体幅端Ｐ１および第２媒体幅端Ｐ２が反ったり折れ曲がったりしているような場合にも、この第１媒体押え部材８１および第２媒体押え部材８２により、第１媒体幅端Ｐ１および第２媒体幅端Ｐ２がプラテン６から浮き上がることが抑制される。これにより、僅かなペーパーギャップを存してインク吐出部７１と対向しているロール紙Ｐの第１媒体幅端Ｐ１および第２媒体幅端Ｐ２が、インク吐出部７１と接触することが抑制される。
【００３９】
図４を参照して、媒体押え部８についてより具体的に説明する。媒体押え部８は、上記した第１媒体押え部材８１および第２媒体押え部材８２のほか、第１付勢部材８３と、第２付勢部材８４と、第１連動部８５と、第２連動部８６と、動力伝達部８７とを備えている。
【００４０】
第１媒体押え部材８１は、プラテン６に対して＋Ｙ側に設けられている。第１媒体押え部材８１は、第１媒体押え部材８１の＋Ｙ側の端部において、Ｘ方向に平行な第１押え支軸（図示省略）により、回動可能に支持されている。すなわち、第１媒体押え部材８１は、第１媒体押え部材８１の−Ｙ側の端部において第１媒体幅端Ｐ１をプラテン６に対して押える第１押え位置８１ａ（第１位置）と、第１媒体幅端Ｐ１をプラテン６に対して押えない第１非押え位置８１ｂ（第２位置）との間で回動可能である。
第２媒体押え部材８２は、プラテン６に対して−Ｙ側に設けられている。第２媒体押え部材８２は、第２媒体押え部材８２の−Ｙ側の端部において、Ｘ方向に平行な第２押え支軸（図示省略）により、回動可能に支持されている。すなわち、第２媒体押え部材８２は、＋Ｙ側の端部において第２媒体幅端Ｐ２をプラテン６に対して押える第２押え位置８２ａ（第３位置）と、第２媒体幅端Ｐ２をプラテン６に対して押えない第２非押え位置８２ｂ（第４位置）との間で回動可能である。
【００４１】
第１付勢部材８３は、第１媒体押え部材８１を、図示反時計回りに、すなわち第１非押え位置８１ｂから第１押え位置８１ａに向けて付勢する。
第２付勢部材８４は、第２媒体押え部材８２を、図示時計回りに、すなわち第２非押え位置８２ｂから第２押え位置８２ａに向けて付勢する。第１付勢部材８３および第２付勢部材８４としては、例えば、ねじりコイルバネを用いることができる。
【００４２】
第１連動部８５は、インク吐出部７１の移動に連動して回転し、第１媒体押え部材８１を、第１付勢部材８３に抗して、第１押え位置８１ａから第１非押え位置８１ｂに回動させる。第１連動部８５は、第１媒体押え部材８１と同軸上に回転可能に支持されている。第１連動部８５には、後述する第１押え部側プーリー８７７との間で、第１ベルト８８１が８の字状に掛けられている。第１連動部８５の平面には、第１連動凸部８５１が設けられている。第１連動部８５が図示時計回りに回転すると、それに伴って図示時計回りに回転する第１連動凸部８５１が第１媒体押え部材８１と係合し、第１媒体押え部材８１を押し上げるようにして、図示時計回りに回転させる。
第２連動部８６は、インク吐出部７１の移動に連動して回転し、第２媒体押え部材８２を、第２付勢部材８４に抗して、第２押え位置８２ａから第２非押え位置８２ｂに回動させる。第２連動部８６は、第２媒体押え部材８２と同軸上に回転可能に支持されている。第２連動部８６には、後述する第２押え部側プーリー８７８との間で、第２ベルト８８２が８の字状に掛けられている。第２連動部８６の平面には、第２連動凸部８６１が設けられている。第２連動部８６が図示反時計回りに回転すると、それに伴って図示反時計回りに回転する第２連動凸部８６１が第２媒体押え部材８２と係合し、第２媒体押え部材８２を押し上げるようにして、図示反時計回りに回転させる。
【００４３】
動力伝達部８７は、第１傘歯車８７１と、第２傘歯車８７２と、ラック部８７３、第１ピニオン８７４と、第２ピニオン８７５と、第３ピニオン８７６と、第１押え部側プーリー８７７と、第２押え部側プーリー８７８と、第３押え部側プーリー８７９と、第４押え部側プーリー８８０と、第１ベルト８８１と、第２ベルト８８２と、第３ベルト８８３とを備えている。動力伝達部８７は、移動部７５側の移動部側動力伝達部８７ａと、第１連動部８５および第２連動部８６側の連動部側動力伝達部８７ｂとに分けられる。移動部側動力伝達部８７ａには、第１傘歯車８７１が含まれる。連動部側動力伝達部８７ｂには、第２傘歯車８７２など、第１傘歯車８７１以外のものが含まれる。移動部側動力伝達部８７ａは、装置フレームに支持され、連動部側動力伝達部８７ｂは、リンク部３に支持されている。
【００４４】
第１傘歯車８７１は、シャフト８８４によって、移動部７５の第１移動部側プーリー７５１と連結されている。第１傘歯車８７１は、第２傘歯車８７２と噛み合う。すなわち、第１傘歯車８７１は、移動部側動力伝達部８７ａの連動部側動力伝達部８７ｂへの動力出力端であり、第２傘歯車８７２は、連動部側動力伝達部８７ｂの移動部側動力伝達部８７ａからの動力入力端である。
【００４５】
上述したように、移動部側動力伝達部８７ａに含まれる第１傘歯車８７１は、装置フレームに支持され、連動部側動力伝達部８７ｂに含まれる第２傘歯車８７２は、リンク部３に支持されている。蓋部２が開かれ、リンク部３が非印刷位置３ａに移動すると、第１傘歯車８７１と第２傘歯車８７２との噛み合いが外れる。蓋部２が閉じられ、リンク部３が印刷位置３ｂに移動すると、第１傘歯車８７１と第２傘歯車８７２とが噛み合う。
【００４６】
第２傘歯車８７２には、第４押え部側プーリー８８０が同軸上に固定されている。第４押え部側プーリー８８０には、第３押え部側プーリー８７９との間で、第３ベルト８８３が８の字状に掛けられている。
【００４７】
第３押え部側プーリー８７９には、第３ピニオン８７６が同軸上に固定されている。第３ピニオン８７６は、第１ピニオン８７４と第２ピニオン８７５との略中間位置に設けられている。第３ピニオン８７６は、移動部７５を介して入力したキャリッジモーター７４の動力を、ラック部８７３に伝達する。
【００４８】
ラック部８７３は、＋Ｙ側に位置する第１ラックプーリー８７３１と、−Ｙ側に位置する第２ラックプーリー８７３２と、第１ラックプーリー８７３１と第２ラックプーリー８７３２との間に掛け渡された歯付ベルト８７３３とを備えている。歯付ベルト８７３３は、第３ピニオン８７６、第１ピニオン８７４および第２ピニオン８７５と噛み合う。
【００４９】
第１ピニオン８７４は、ラック部８７３を介して入力したキャリッジモーター７４の動力を、第１連動部８５に伝達する。第１ピニオン８７４には、第１押え部側プーリー８７７が同軸上に固定されている。第１押え部側プーリー８７７と上記の第１連動部８５との間に、第１ベルト８８１が８の字状に掛けられている。
【００５０】
第２ピニオン８７５は、ラック部８７３を介して入力したキャリッジモーター７４の動力を、第２連動部８６に伝達する。第２ピニオン８７５には、第２押え部側プーリー８７８が同軸上に固定されている。第２押え部側プーリー８７８と上記の第２連動部８６との間に、第２ベルト８８２が８の字状に掛けられている。
【００５１】
図４（ａ）に示すように、インク吐出部７１が＋Ｙ側に移動する際は、第１移動部側プーリー７５１の回転動力が第１傘歯車８７１を介して第２傘歯車８７２に伝達され、第２傘歯車８７２が図示時計回りに回転する。第２傘歯車８７２の回転動力が第３ベルト８８３を介して第３ピニオン８７６に入力し、第３ピニオン８７６が図示反時計回りに回転する。第３ピニオン８７６の回転動力がラック部８７３を介して第１ピニオン８７４および第２ピニオン８７５に伝達され、第１ピニオン８７４および第２ピニオン８７５が図示反時計回りに回転する。第１ピニオン８７４の回転動力が第１ベルト８８１を介して第１連動部８５に伝達され、第１連動部８５が図示時計回りに回転する。また、第２ピニオン８７５の回転動力が第２ベルト８８２を介して第２連動部８６に伝達され、第２連動部８６が図示時計回りに回転する。
【００５２】
図４（ｂ）に示すように、インク吐出部７１が−Ｙ側に移動する際は、第１移動部側プーリー７５１の回転動力が第１傘歯車８７１を介して第２傘歯車８７２に伝達され、第２傘歯車８７２が図示反時計回りに回転する。第２傘歯車８７２の回転動力が第３ベルト８８３を介して第３ピニオン８７６に入力し、第３ピニオン８７６が図示時計回りに回転する。第３ピニオン８７６の回転動力がラック部８７３を介して第１ピニオン８７４および第２ピニオン８７５に伝達され、第１ピニオン８７４および第２ピニオン８７５が図示時計回りに回転する。第１ピニオン８７４の回転動力が第１ベルト８８１を介して第１連動部８５に伝達され、第１連動部８５が図示反時計回りに回転する。また、第２ピニオン８７５の回転動力が第２ベルト８８２を介して第２連動部８６に伝達され、第２連動部８６が図示反時計回りに回転する。
【００５３】
図５を参照して、インク吐出部７１の移動に連動して第１媒体押え部材８１および第２媒体押え部材８２が回動することについて説明する。図５（ａ）は、インク吐出部７１は、Ｙ軸方向における移動範囲の略中心に位置している状態を示している。このとき、第１媒体押え部材８１は、第１押え位置８１ａに位置し、第２媒体押え部材８２は、第２押え位置８２ａに位置している。また、第１連動部８５の第１連動凸部８５１は、第１媒体押え部材８１と係合しておらず、第２連動部８６の第２連動凸部８６１は、第２媒体押え部材８２と係合していない。
【００５４】
続いて、図５（ｂ）に示すように、インク吐出部７１が＋Ｙ側に移動すると、第１連動部８５が図示時計回りに回転し、第１連動凸部８５１が第１媒体押え部材８１に対し−Ｚ側から突き当たり、第１媒体押え部材８１と係合する。第１連動凸部８５１が第１媒体押え部材８１に突き当たったときのインク吐出部７１の位置を、第１途中位置７１ｃという。このとき、第２連動部８６も図示時計回りに回転するが、第２連動凸部８６１は第２媒体押え部材８２と係合していない。
【００５５】
続いて、図５（ｃ）に示すように、インク吐出部７１が第１途中位置７１ｃからさらに＋Ｙ側に移動すると、第１連動部８５が図示時計回りに回転することにより、第１連動凸部８５１と係合した第１媒体押え部材８１が、第１押え位置８１ａから第１非押え位置８１ｂへ向けて、図示時計回りに回動する。そして、インク吐出部７１が第１媒体幅端Ｐ１に対してインクを吐出可能な第１吐出位置７１ａに達した際には、第１媒体押え部材８１が第１非押え位置８１ｂに位置している。このとき、第２連動部８６も図示時計回りに回転するが、第２連動凸部８６１は第２媒体押え部材８２と係合していない。
【００５６】
続いて、図５（ｄ）に示すように、インク吐出部７１が第１吐出位置７１ａから−Ｙ側に移動すると、第１連動部８５が図示反時計回りに回転し、第１媒体押え部材８１が、第１連動凸部８５１と係合したまま、第１非押え位置８１ｂから第１押え位置８１ａへ向けて、図示反時計回りに回動する。このとき、第２連動部８６も図示反時計回りに回転するが、第２連動凸部８６１は第２媒体押え部材８２と係合していない。そして、インク吐出部７１が第１途中位置７１ｃに戻った際には、第１媒体押え部材８１も第１押え位置８１ａに戻り、第１連動凸部８５１が第１媒体押え部材８１から係合離脱する。
【００５７】
続いて、図５（ｅ）に示すように、インク吐出部７１が第１途中位置７１ｃからさらに−Ｙ側に移動すると、図示反時計回りに回転する第２連動凸部８６１が、第２媒体押え部材８２に対し−Ｚ側から突き当たり、第２媒体押え部材８２と係合する。第２連動凸部８６１が第２媒体押え部材８２に突き当たったときのインク吐出部７１の位置を、第２途中位置７１ｄという。このとき、第１連動部８５も図示反時計回りに回転するが、第１連動凸部８５１は第１媒体押え部材８１と係合していない。
【００５８】
続いて、図５（ｆ）に示すように、インク吐出部７１が第２途中位置７１ｄからさらに−Ｙ側に移動すると、第２連動部８６が図示反時計回りに回転することにより、第２連動凸部８６１と係合した第２媒体押え部材８２が、第２押え位置８２ａから第２非押え位置８２ｂへ向けて、図示反時計回りに回動する。そして、インク吐出部７１が第２媒体幅端Ｐ２に対してインクを吐出可能な第２吐出位置７１ｂに達した際には、第２媒体押え部材８２が第２非押え位置８２ｂに位置している。このとき、第１連動部８５も図示反時計回りに回転するが、第１連動凸部８５１は第１媒体押え部材８１と係合していない。
【００５９】
続いて、図５（ｇ）に示すように、インク吐出部７１が第２吐出位置７１ｂから＋Ｙ側に移動すると、第２連動部８６が図示時計回りに回転し、第２媒体押え部材８２が、第２連動凸部８６１と係合したまま、第２非押え位置８２ｂから第２押え位置８２ａへ向けて、図示時計回りに回動する。このとき、第１連動部８５も図示時計回りに回転するが、第１連動凸部８５１は第１媒体押え部材８１と係合していない。そして、インク吐出部７１が第２途中位置７１ｄに戻った際には、第２媒体押え部材８２も第２押え位置８２ａに戻り、第２連動凸部８６１が第２媒体押え部材８２から係合離脱する。
【００６０】
このように、第１連動部８５は、インク吐出部７１が第２吐出位置７１ｂから第１途中位置７１ｃに移動する際に、第１媒体押え部材８１を回動させず、インク吐出部７１が第１途中位置７１ｃから第１吐出位置７１ａに移動する際に、第１媒体押え部材８１を第１非押え位置８１ｂに回動させる。すなわち、第１連動部８５は、入力したキャリッジモーター７４の駆動力を、間欠的に第１媒体押え部材８１に伝達する。また、第２連動部８６は、インク吐出部７１が第１吐出位置７１ａから第２途中位置７１ｄに移動する際に、第１媒体押え部材８１を回動させず、インク吐出部７１が第２途中位置７１ｄから第２吐出位置７１ｂに移動する際に、第２媒体押え部材８２を第２非押え位置８２ｂに回動させる。すなわち、第２連動部８６は、入力したキャリッジモーター７４の駆動力を、間欠的に第２媒体押え部材８２に伝達する。
【００６１】
以上のように、本実施形態のレシートプリンターＡは、ロール紙Ｐを送る送りローラー対５と、ロール紙Ｐの送り経路に設けられ、ロール紙Ｐを支持するプラテン６と、第１媒体幅端Ｐ１に対してインクを吐出可能な第１吐出位置７１ａと、第２媒体幅端Ｐ２に対してインクを吐出可能な第２吐出位置７１ｂと、に移動しながら、プラテン６に支持されたロール紙Ｐに対しインクを吐出するインク吐出部７１と、第１媒体押え部材８１とを備えている。第１媒体押え部材８１は、インク吐出部７１が第２吐出位置７１ｂに位置する際に、第１媒体幅端Ｐ１をプラテン６に対して押える第１押え位置８１ａに位置し、インク吐出部７１が第１吐出位置７１ａに位置する際に、第１媒体幅端Ｐ１をプラテン６に対して押えない第１非押え位置８１ｂに位置するように回動する。
この構成では、インク吐出部７１が第２吐出位置７１ｂに位置する際に、第１媒体押え部材８１が第１押え位置８１ａに位置し、第１媒体幅端Ｐ１を押さえる。このため、第１媒体幅端Ｐ１がインク吐出部７１と接触することが抑制される。一方、インク吐出部７１が第１吐出位置７１ａに位置する際に、第１媒体押え部材８１が第１非押え位置８１ｂに位置する。このため、第１吐出位置７１ａに位置するインク吐出部７１から、第１媒体幅端Ｐ１に対して、インクが着弾可能となる。
また、本実施形態のレシートプリンターＡは、第１媒体押え部材８１と同様に構成された第２媒体押え部材８２を備えている。
この構成では、第２媒体幅端Ｐ２がインク吐出部７１と接触することが抑制され、また、第２吐出位置７１ｂに位置するインク吐出部７１から、第２媒体幅端Ｐ２に対して、インクが着弾可能となる。
したがって、本構成によれば、第１媒体幅端Ｐ１および第２媒体幅端Ｐ２がインク吐出部７１と接触することを抑制し、且つ、ロール紙Ｐの幅方向における印刷可能領域が狭くなることを抑制することができる。
【００６２】
本実施形態のレシートプリンターＡは、インク吐出部７１を第１吐出位置７１ａと第２吐出位置７１ｂとに移動させる駆動源となるキャリッジモーター７４と、キャリッジモーター７４の動力を受けて、インク吐出部７１を第１吐出位置７１ａと第２吐出位置７１ｂとに移動させる移動部７５とを備えている。また、レシートプリンターＡは、第１媒体押え部材８１を、第１非押え位置８１ｂから第１押え位置８１ａに向けて付勢する第１付勢部材８３と、インク吐出部７１の移動に連動して、第１媒体押え部材８１を、第１付勢部材８３に抗して第１押え位置８１ａから第１非押え位置８１ｂに回動させる第１連動部８５と、第１付勢部材８３と同様に構成された第２付勢部材８４と、第１連動部８５と同様に構成された第２連動部８６とを備えている。さらに、レシートプリンターＡは、移動部７５を介して入力したキャリッジモーター７４の動力を、第１連動部８５が第１媒体押え部材８１を回動させ、第２連動部８６が第２媒体押え部材８２を回動させるように、第１連動部８５および第２連動部８６に伝達する動力伝達部８７を備えている。
この構成では、キャリッジモーター７４の動力が移動部７５に伝達されると、インク吐出部７１が第１吐出位置７１ａや第２吐出位置７１ｂに移動すると共に、移動部７５を介して動力伝達部８７に入力したキャリッジモーター７４の動力が、第１連動部８５および第２連動部８６に伝達され、第１連動部８５が第１媒体押え部材８１を回動させ、第２連動部８６が第２媒体押え部材８２を回動させる。これにより、インク吐出部７１の移動と、第１媒体押え部材８１の回動および第２媒体押え部材８２の回動とが連動して行われる。
【００６３】
本実施形態のレシートプリンターＡでは、第１連動部８５が、第１媒体押え部材８１と係合する第１連動凸部８５１を有している。第１連動凸部８５１は、インク吐出部７１が第１途中位置７１ｃと第１吐出位置７１ａとの間で移動する際に、第１媒体押え部材８１と係合し、インク吐出部７１が第１途中位置７１ｃと第２吐出位置７１ｂとの間で移動する際に、第１媒体押え部材８１と係合しない。
この構成では、インク吐出部７１が第１途中位置７１ｃと第１吐出位置７１ａとの間で移動する際に、第１連動凸部８５１が第１媒体押え部材８１と係合することから、インク吐出部７１の移動に連動して、第１媒体押え部材８１が回動する。一方、インク吐出部７１が第１途中位置７１ｃと第２吐出位置７１ｂとの間で移動する際に、第１連動凸部８５１が第１媒体押え部材８１と係合しないことから、インク吐出部７１の移動に連動して第１連動部８５が回転しても、第１媒体押え部材８１が回動しない。これにより、インク吐出部７１が第１途中位置７１ｃと第２吐出位置７１ｂとの間で移動している間は、第１媒体押え部材８１が第１押え位置８１ａから第１非押え位置８１ｂへ回動しない。したがって、本構成によれば、第１媒体押え部材８１が第１押え位置８１ａから退避する必要がある場合、すなわち、インク吐出部７１が第１吐出位置７１ａに位置している場合、以外は、なるべく長い間、第１媒体押え部材８１により第１媒体幅端Ｐ１を押えておくことができる。
また、本実施形態のレシートプリンターＡでは、第２連動部８６が、第１連動部８５の第１連動凸部８５１と同様に構成された第２連動凸部８６１を備えている。
この構成によれば、第２媒体押え部材８２が第２押え位置８２ａから退避する必要がある場合、すなわち、インク吐出部７１が第２吐出位置７１ｂに位置している場合、以外は、なるべく長い間、第２媒体押え部材８２により第２媒体幅端Ｐ２を押えておくことができる。
【００６４】
本実施形態のレシートプリンターＡは、媒体押え部８の大部分（連動部側動力伝達部８７ｂ、第１連動部８５、第２連動部８６、第１媒体押え部材８１および第２媒体押え部材８２など）およびプラテン６が支持されたリンク部３と、媒体押え部８の一部（移動部側動力伝達部８７ａ）および印刷部７が支持された装置フレームとを備えている。リンク部３は、印刷位置３ｂと非印刷位置３ａとに可動であり、リンク部３が印刷位置３ｂに位置する際に、移動部側動力伝達部８７ａの第１傘歯車８７１と、連動部側動力伝達部８７ｂの第２傘歯車８７２とが噛み合い、リンク部３が非印刷位置３ａに位置する際に、第１傘歯車８７１と第２傘歯車８７２との噛み合いが外れる。
この構成によれば、リンク部３が非印刷位置３ａに位置する際に、第１傘歯車８７１と第２傘歯車８７２との噛み合いが外れることにより、リンク部３が印刷位置３ｂから非印刷位置３ａへスムースに移動することができる。また、リンク部３が印刷位置３ｂに位置する際に、第１傘歯車８７１と第２傘歯車８７２とが噛み合うことにより、動力伝達部８７が、移動部７５を介して入力したキャリッジモーター７４の動力を、第１連動部８５および第２連動部８６に伝達することができる。
【００６５】
なお、ロール紙Ｐは、「印刷媒体」の一例である。送りローラー対５は、「送り部」の一例である。キャリッジモーター７４は、「駆動部」の一例である。第１連動凸部８５１は、「第１係合部」の一例である。第２連動凸部８６１は、「第２係合部」の一例である。リンク部３は、「プラテン側支持部」の一例である。装置フレームは、「印刷部側支持部」の一例である。第１傘歯車８７１は、「動力出力端」の一例である。第２傘歯車８７２は、「動力入力端」の一例である。
本発明は上記した実施形態に限定されず、その趣旨を逸脱しない範囲で種々の構成を採用可能であることは言うまでもない。例えば、本実施形態は、以下のような形態に変更することができる。
【００６６】
印刷媒体としては、ロール紙Ｐに限定されるものではなく、ファンフォールド紙などの他の連続紙であってもよく、単票紙であってもよい。本発明は、レシートプリンターＡ以外にも、種々の用途のインクジェットプリンターに適用可能である。
【符号の説明】
【００６７】
５        ：送りローラー対
６        ：プラテン
７１      ：インク吐出部
７１ａ    ：第１吐出位置
７１ｂ    ：第２吐出位置
８１      ：第１媒体押え部材
８１ａ    ：第１押え位置（第１位置）
８１ｂ    ：第１非押え位置(第２位置)
８２      ：第２媒体押え部材
８２ａ    ：第２押え位置(第３位置)
８２ｂ    ：第２非押え位置(第４位置)
Ａ        ：レシートプリンター
Ｐ        ：ロール紙
Ｐ１      ：第１媒体幅端
Ｐ２      ：第２媒体幅端
【図１】
2016185619.tif 000003
【図２】
2016185619.tif 000004
【図３】
2016185619.tif 000005
【図４】
2016185619.tif 000006
【図５】
2016185619.tif 000007